(57)【要約】【課題】画質補正回路における無駄な電力消費を抑制する。【解決手段】高画質化回路による画質の高画質化が不必要である場合に画像補正処理部への供給クロックを停止すると、画像補正処理部の作動に必要なクロックが供給されないこととなり、画像補正処理部は作動を停止する。入力画像は、バイパス線路を経由したものが出力される。この様にすることによって、画像補正処理部の無駄な電力消費を抑え、高画質化回路全体の消費電力の抑制を図ることができる。【選択図】図１−２
2010171824.tif 000002
【特許請求の範囲】
【請求項１】
発振器からのクロックを入力するクロック入力部と、
前記クロック入力部によって入力された前記クロックによって作動し、入力画像データの画質補正を行って出力する画質補正部と
を有し、
前記クロック入力部は、前記クロックの前記画質補正部に対する出力の可否を制御することによって前記画質補正部の作動及び非作動を制御する
ことを特徴とする画像処理装置。
【請求項２】
装置全体の制御を司るとともに前記画質補正の要否を通知する制御部を有し、
前記クロック入力部は、前記制御部からの前記画質補正部による画質補正の要否の通知に応じて前記クロックの前記画質補正部に対する出力の可否を制御することを特徴とする請求項１記載の画像処理装置。
【請求項３】
前記入力画像データの特性を解析する解析部を有し、
前記クロック入力部は、前記解析部による前記入力画像データの特性の解析結果に応じて前記クロックの前記画質補正部に対する出力の可否を制御することを特徴とする請求項１又は２記載の画像処理装置。
【請求項４】
画像処理装置が行う画像処理方法であって、
発振器からのクロックを入力するクロック入力ステップと、
前記クロック入力ステップによって入力された前記クロックによって作動し、入力画像データの画質補正を行って出力する画質補正ステップと
前記入力画像データの特性を解析する解析ステップと
を含み、
前記クロック入力ステップは、前記解析ステップによる前記入力画像データの特性の解析結果に応じて前記クロックの前記画質補正ステップに対する出力の可否を制御することを特徴とする画像処理方法。
【発明の詳細な説明】
【技術分野】
【０００１】
本発明は、画質補正回路の作動及び非作動を制御する画像処理装置に関する。
【背景技術】
【０００２】
従来から、画像を表示する画像表示装置は、表示画像をより鮮明に美しく表示するために、画質補正処理を行った画像を表示画面に表示することが一般的である。画質補正処理は、ＡＳＩＣ（Application  Specific  Integrated  Circuit）やＦＰＧＡ（Field  Programmable  Gate  Array）で構成される画質補正処理回路によって行われる。
【先行技術文献】
【特許文献】
【０００３】
【特許文献１】特開２００８−１３４２７７号公報
【発明の概要】
【発明が解決しようとする課題】
【０００４】
しかしながら、上記に代表される従来技術では、ユーザ指示によって画質補正を行わないとされている場合でも、画質補正回路に通電されることから、無駄な電力消費を行うこととなる。無駄な電力消費は、画質補正回路の発熱によって画質補正回路の熱暴走を引き起こし、また、回路寿命を縮めるのみならず、さらには、近年高まりつつある環境保護に反することとなる。
【０００５】
開示の画像処理装置は、上記問題点（課題）を解消するためになされたものであって、画質補正回路における無駄な電力消費を抑制し、画質補正回路の熱暴走を防止し、回路寿命を延ばし、環境保護に適合することを目的とする。
【課題を解決するための手段】
【０００６】
上述した問題を解決し、目的を達成するため、開示の画像処理装置は、発振器からの供給クロックを受け付け、供給クロックによって作動し、入力画像データの画質補正を行って出力し、供給クロックの受け付けの可否を制御することによって画質補正の作動及び非作動を制御することを一要件とする。
【発明の効果】
【０００７】
開示の画像処理装置によれば、画質補正回路における無駄な電力消費を抑制し、画質補正回路の熱暴走を防止し、また、回路寿命を延ばし、延いては、環境保護に適合するという効果を奏する。
【図面の簡単な説明】
【０００８】
【図１−１】図１−１は、実施形態の一例に係る画質補正回路の作動時の概要を示す図である。
【図１−２】図１−２は、実施形態の一例に係る画質補正回路の非作動時の概要を示す図である。
【図２】図２は、第一実施形態の一例に係る高画質化回路の構成を示す機能ブロック図である。
【図３】図３は、第一実施形態の一例に係る高画質化処理手順を示すフローチャートである。
【図４】図４は、第二実施形態の一例に係る高画質化回路の構成を示す機能ブロック図である。
【図５】図５は、第二実施形態の一例に係る高画質化処理手順を示すフローチャートである。
【図６】図６は、第三実施形態の一例に係る高画質化回路の構成を示す機能ブロック図である。
【図７】図７は、第三実施形態の一例に係る高画質化回路の構成を示す機能ブロック図である。
【図８】図８は、第三実施形態の一例に係る高画質化処理手順を示すフローチャートである。
【図９】図９は、第四実施形態の一例に係る高画質化回路の構成を示す機能ブロック図である。
【図１０】図１０は、ヒストグラム例と高画質化回路の機能停止部位との関係の一例を示す図である。
【発明を実施するための形態】
【０００９】
以下に添付図面を参照し、開示の画像処理装置に係る実施形態の一例を詳細に説明する。なお、以下に示す実施形態の一例は、高画質化回路を含む画像処理装置、及び、高画質化回路を含む画像処理回路は、車載用の画像処理装置及び画像処理回路を例として説明する。しかし、これに限定されるものではなく、画像データを入力として高画質化回路にて画質の高画質化を行って所定の表示画面に該当画像を表示制御する画像処理装置及び画像処理回路に広く適用可能である。
【００１０】
先ず、図１−１及び図１−２を参照して、実施形態の一例に係る画像処理装置の高画化回路の省電力化の概要を説明する。図１−１に示す様に、高画質化回路は、画像補正処理部とスルー経路と、セレクタとを有する。画像補正処理部は、入力画像の画質を補正して出力する。スルー経路は、画像補正処理部のバイパス線路である。セレクタは、画像補正処理部又はスルー経路のいずれかの入力を選択して出力する。
【００１１】
図１を参照すると、図示しないオシレータ（発振器）から高画質化回路へ「ＶＣＬＫ２７」、「ＶＣＬＫ１３Ｄ」及び「ＶＣＬＫ１３Ｖ」の３種のクロックが供給される。これらのうち、「ＶＣＬＫ１３Ｖ」が、画像補正処理部を作動させるために供給されるクロックである。
【００１２】
ここで、図１−２に示す様に、「ＶＣＬＫ１３Ｖ」の高画質化回路への供給を停止すると画像補正処理部の作動に必要なクロックが供給されないこととなり、画像補正処理部は作動を停止する。そして、セレクタは、スルー経路からの画像を選択して出力する。
【００１３】
この様に、高画質化回路による画質の高画質化が不必要である場合に画像補正処理部への供給クロックを停止することによって画像補正処理部の無駄な電力消費を抑え、高画質化回路全体の消費電力の抑制を図ることができる。
【００１４】
［第一実施形態の一例］
【００１５】
先ず、図２を参照して、第一実施形態の一例に係る高画質化回路を含む画像処理装置の構成を説明する。同図に示す様に、第一実施形態の一例に係る画像処理装置Ｄ１の高画質化回路１００ａは、ＡＳＩＣやＦＰＧＡ等のプログラマブルな集積回路で構成される。
【００１６】
高画質化回路１００ａは、画質補正部１０１ａと、セレクタ１０２ａと、セレクタ１０３ａとを有する。また、高画質化回路１００ａは、図示しない表示画面の表面のタッチパネルを制御するパネルマイコン２００と接続されている。
【００１７】
パネルマイコン２００は、キーボード等の入力装置であるハードキー２００ａと、表示画面のスイッチ表示と連携するタッチＳＷ（Switch、スイッチ）２００ｂと、図示しない音響映像装置の全体制御を司るオーディオマイコン３００と接続されている。
【００１８】
パネルマイコン２００は、ハードキー２００ａからのユーザ操作による高画質化機能のオン又はオフの入力をオーディオマイコン３００へ通知する。この通知に応じて、オーディオマイコン３００は、高画質化回路の作動又は非作動を、パネルマイコン２００を介して高画質化回路１００ａへ指示する。
【００１９】
オーディオマイコン３００からの高画質化回路の作動又は非作動の指示は、セレクタ１０２ａ及びセレクタ１０３ａへと入力される。オーディオマイコン３００からの指示が高画質化回路の作動指示であれば、セレクタ１０２ａは、図示しないオシレータからのクロックを受け付けて画質補正部１０１ａへ供給する。また、セレクタ１０３ａは、画質補正部１０１ａからの入力画像を選択して出力する。なお、この際、画質補正のパラメータは、タッチＳＷ２００ｂからのユーザ操作によって設定される。
【００２０】
一方、オーディオマイコン３００からの指示が高画質化回路の非作動指示であれば、セレクタ１０２ａは、図示しないオシレータからのクロックを画質補正部１０１ａへ供給停止する。また、セレクタ１０３ａは、スルー経路（バイパス）からの入力画像を選択して出力する。
【００２１】
なお、図示は省略しているが、スルー経路の分岐矢印からセレクタ１０３ａまでの間に、画質補正部１０１ａが行う画質補正処理に要する時間だけデータ伝送を遅延させるＤラッチ等を設けてもよい。
【００２２】
次に、図３を参照して、画像処理装置Ｄ１で実行される画質補正処理手順について説明する。同図に示す様に、先ず、オーディオマイコン３００は、画質調整用画面でない通常画面を、図示しない表示装置に表示する（ステップＳ１０１）。
【００２３】
続いて、パネルマイコン２００は、ハードキー２００ａの押下を検知する（ステップＳ１０２）。ここで、ハードキー２００ａの押下は、ユーザ操作による高画質化機能オン指示に相当する。
【００２４】
続いて、パネルマイコン２００は、オーディオマイコン３００へハードキー２００ａの状態（すなわち、ハードキー２００ａオン状態）を通知する（ステップＳ１０３）。続いて、オーディオマイコン３００は、パネルマイコン２００を制御して、図示しない画像表示装置の表示画面に画質調整用画面を表示制御する（ステップＳ１０４）。
【００２５】
続いて、パネルマイコン２００は、一定時間、タッチＳＷ２００ｂの操作が無しであるか否かを判定する（ステップＳ１０５）。一定時間、タッチＳＷ２００ｂの操作が無しであると判定された場合（ステップＳ１０５肯定）、ステップＳ１０１へ移り、一定時間、タッチＳＷ２００ｂの操作が無しであると判定されなかった場合（ステップＳ１０５否定）、ステップＳ１０６へ移る。
【００２６】
ステップＳ１０６では、パネルマイコン２００は、画質調整のパラメータ設定のためにタッチＳＷ２００ｂが押下されたことを検知する。例えば、タッチＳＷ２００ｂが押下される毎に、例えば画質補正処理のレベルが、“ＨＩ（高画質補正）”、“ＭＩＤ（中画質補正）”、“ＬＯ（低画質補正）”、“オフ（画質補正無し）”と遷移する。続いて、パネルマイコン２００は、押下されたタッチＳＷ２００ｂの部分の座標をオーディオマイコン３００へ通知する（ステップＳ１０７）。
【００２７】
続いて、オーディオマイコン３００は、タッチＳＷ２００ｂを介して入力された画質調整パラメータに基づいて画質モードを決定してパネルマイコン２００へ通知する（ステップＳ１０８）。
【００２８】
続いて、パネルマイコン２００は、ステップＳ１０８で通知された画質モードへ移行するための処理内容を高画質化回路１００ａへ通知する（ステップＳ１０９）。続いて、パネルマイコン２００は、画質補正処理機能はオンか否かを判定する（ステップＳ１１０）。
【００２９】
画質補正処理機能はオンであると判定された場合（ステップＳ１１０肯定）、ステップＳ１１１へ移り、画質補正処理機能はオンであると判定されなかった場合（ステップＳ１１０否定）、ステップＳ１１５へ移る。
【００３０】
ステップＳ１１１では、パネルマイコン２００は、セレクタ１０３ａに対して、出力画像選択を画質補正部１０１ａ側とする様に指示する。続いて、パネルマイコン２００は、セレクタ１０２ａに対して、図示しないオシレータからのクロックを画質補正部１０１ａへ供給する様に指示する（ステップＳ１１２）。続いて、画質補正部１０１ａは、入力画像に対し、画質補正処理を行う（ステップＳ１１３）。そして、画質補正部１０１ａは、画質補正処理を行った画質補正画像を出力する（ステップＳ１１４）。
【００３１】
一方、ステップＳ１１５では、パネルマイコン２００は、セレクタ１０３ａに対して、出力画像選択をスルー経路側とする様に指示する。続いて、パネルマイコン２００は、セレクタ１０２ａに対して、図示しないオシレータからのクロックの画質補正部１０１ａへの供給を停止する様に指示する（ステップＳ１１６）。
【００３２】
そして、高画質化回路１００ａへの入力画像は、スルー経路を通って出力される（ステップＳ１１７）。この処理が終了すると、ステップＳ１０５へ移る。
【００３３】
以上のステップＳ１１０、及び、ステップＳ１１５〜ステップＳ１１７の処理を行うことによって、画質補正部１０１ａによる画質補正がオフである場合に、画質補正部１０１ａへの供給クロックを停止することによって画質補正部１０１ａの無駄な電力消費を抑え、高画質化回路１００ａ、延いては画像処理装置Ｄ１の消費電力の抑制を図ることができる。
【００３４】
［第二実施形態の一例］
次に、図４を参照して、第二実施形態の一例に係る高画質化回路を含む画像処理装置の構成を説明する。第二実施形態の一例に係る画像処理装置Ｄ２に係る説明は、第一実施形態の一例に係る画像処理装置Ｄ１との差分のみについて行う。
【００３５】
画像処理装置Ｄ２のオーディオマイコン３００には、温度検知部３００ａ及び消費電力監視部３００ｂが接続されている。温度検知部３００ａは、画像処理装置Ｄ２内の温度や画像処理装置Ｄ２が含む各種集積回路の温度を検知する。消費電力監視部３００ｂは、画像処理装置Ｄ２によって消費される電力を監視する。
【００３６】
そして、オーディオマイコン３００は、温度検知部３００ａによって検知された温度が画像処理装置Ｄ２の作動許容範囲を超えた場合、又は、画像処理装置Ｄ２によって消費される電力が画像処理装置Ｄ２の作動許容範囲を超えた場合、ユーザ操作による高画質化機能のオン又はオフに関わらず、画質補正部１０１ａへのクロック供給を停止する様に制御する。
【００３７】
図５は、画像処理装置Ｄ２で実行される画質補正処理手順を示すフローチャートであるが、図３に示した画像処理装置Ｄ１で実行される画質補正処理手順とは、ステップＳ１１０の判定処理に代えてステップＳ２１０の判定処理が行われる点が異なるのみで、その他は同一処理のため同一ステップ番号を付与している。
【００３８】
ステップＳ２１０では、オーディオマイコン３００は、例えば、温度検知部３００ａによって検知された温度が画像処理装置Ｄ２の作動許容範囲を超えたか否か、又は、例えば、画像処理装置Ｄ２によって消費される電力が画像処理装置Ｄ２の作動許容範囲を超えたか否かを判定する。そして、温度検知部３００ａによって検知された温度が画像処理装置Ｄ２の作動許容範囲内かつ画像処理装置Ｄ２によって消費される電力が画像処理装置Ｄ２の作動許容範囲内である場合は、画質補正処理機能がオンであるか否かを判定する。
【００３９】
また、ステップＳ２１０では、オーディオマイコン３００は、タッチＳＷ２００ｂが押下され画質補正処理のレベルが、“ＨＩ（高画質補正）”、“ＭＩＤ（中画質補正）”、“ＬＯ（低画質補正）”、“オフ（画質補正無し）”と遷移し、“オフ（画質補正無し）”の状態となってから一定時間入力操作がなされなかった場合、画質調整がキャンセルされたとみなして画質補正部１０１ａへのクロック供給停止と判定する。
【００４０】
すなわち、ステップＳ２１０では、複数の判定条件に基づいて、画質補正部１０１ａへクロックを供給するか否かを総合的に判断する。ステップＳ２１０の判定が肯定の場合、ステップＳ１１１へ移り、ステップＳ２１０の判定が否定の場合、ステップＳ１１５へ移る。
【００４１】
以上のステップＳ２１０、及び、ステップＳ１１５〜ステップＳ１１７の処理を行うことによって、画質補正部１０１ａによる画質補正処理が終了して一定時間経過した（すなわち、画質補正処理のレベルが、“ＨＩ（高画質補正）”、“ＭＩＤ（中画質補正）”、“ＬＯ（低画質補正）”、“オフ（画質補正無し）”と遷移し、“オフ（画質補正無し）”の状態となってから一定時間入力操作がなされなかった）とき、画像処理装置Ｄ２の温度又は消費電力が作動許容範囲を超えた場合、画質補正部１０１ａへのクロック供給を停止することによって、画質補正部１０１ａの電力消費を抑制し、熱暴走等を回避し、回路保護を図り、回路寿命を延ばすことができる。
【００４２】
［第三実施形態の一例］
次に、図６を参照して、第三実施形態の一例に係る高画質化回路を含む画像処理装置の構成を説明する。第三実施形態の一例に係る画像処理装置Ｄ３及び高画質化回路１００ｃに係る説明は、第一実施形態の一例に係る画像処理装置Ｄ１及び高画質化回路１００ａとの差分のみについて行う。
【００４３】
図６に示す様に、高画質化回路１００ｃは、高画質化処理部１０１ｃ及び画像解析部１０４ｃを有する。図７に高画質化回路１００ｃの詳細構成を示す様に、高画質化処理部１０１ｃは、画質補正部１０１ａ、輪郭補正部１０１ｃ２、色彩制御部１０１ｃ３、コントラスト及びブライトネス調整部１０１ｃ４を含む。
【００４４】
また、高画質化回路１００ｃは、画質補正部１０１ａへのクロック供給を制御するセレクタ１０２ａ、輪郭補正部１０１ｃ２へのクロック供給を制御するセレクタ１０２ｃ２、色彩制御部１０１ｃ３へのクロック供給を制御するセレクタ１０２ｃ３、コントラスト及びブライトネス調整部１０１ｃ４へのクロック供給を制御するセレクタ１０２ｃ４を含む。
【００４５】
画像解析部１０４ｃは、入力画像のヒストグラム解析を行うヒストグラム解析部１０４ｃ１を有する。入力画像のヒストグラム解析は、画像の画素の濃度値又は画素値の出現頻度をヒストグラム化する処理である。ヒストグラム解析部１０４ｃ１は、解析後の入力画像をスルー経路へ出力する。そして、スルー経路を介して、画質補正部１０１ａ、輪郭補正部１０１ｃ２、色彩制御部１０１ｃ３、コントラスト及びブライトネス調整部１０１ｃ４は、入力画像を取り込む。
【００４６】
また、ヒストグラム解析部１０４ｃ１は、ヒストグラム解析結果に応じて画質補正部１０１ａ及び／又は輪郭補正部１０１ｃ２及び／又は色彩制御部１０１ｃ３及び／又はコントラスト及び／又はブライトネス調整部１０１ｃ４に画像補正を行わせるためのセレクタ１０２ａ、セレクタ１０２ｃ２、セレクタ１０２ｃ３及びセレクタ１０２ｃ４のクロック供給又は供給停止の制御を行う。
【００４７】
なお、例えば、図１０に示す様に、高い濃度値の分布が多いヒストグラムの画像は、ＤＴＶ（Digital  TeleVision）での電波強度低下等を要因とする暗い画像であるので、高画質化処理部１０１ｃの全ての機能ブロックへのクロック供給を停止する。これは、高画質化処理の効果が得られないためである。
【００４８】
同様に図１０に示す様に、中程度の濃度値の分布が多いヒストグラムの画像は、明度の適正な画像であるので、例えば、画質補正部１０１ａによる画質補正の必要がないため、画質補正部１０１ａへのみクロック供給を停止する。
【００４９】
また、ヒストグラム解析部１０４ｃ１は、各補正後の画像の出力を制御するセレクタ１０３ａ、セレクタ１０３ｃ２、セレクタ１０３ｃ３及びセレクタ１０３ｃ４のクロック供給又は供給停止の制御を行う。
【００５０】
以上の構成によって、高画質化回路１００ｃは、入力画像のヒストグラム解析結果に応じた画像補正を行う機能ブロックのみに作動クロックを供給し、かつ、画像補正を行った機能ブロックのみから補正画像を取得する様に制御可能になる。よって、高画質化処理部１０１ｃの作動をきめ細やかに制御して、入力画像の高画質化と、画像処理装置Ｄ３の消費電力の抑制との両立を図ることができる。
【００５１】
次に、図８を参照して、画像処理装置Ｄ３で実行される画質補正処理手順について説明する。同図に示す様に、先ず、画像解析部１０４ｃのヒストグラム解析部１０４ｃ１は、画像の入力を受け付ける（ステップＳ３０１）。
【００５２】
続いて、ヒストグラム解析部１０４ｃ１は、入力画像の画像解析を行う（ステップＳ３０２）。続いて、ヒストグラム解析部１０４ｃ１は、画質補正処理が必要であるか否かを判定する（ステップＳ３０３）。画質補正処理が必要であると判定された場合（ステップＳ３０３肯定）、ステップＳ３０４へ移り、画質補正処理が必要であると判定されなかった場合（ステップＳ３０３否定）、ステップＳ３０５へ移る。
【００５３】
ステップＳ３０４では、画質補正部１０１ａは、画質補正処理を行う。この処理によって、入力画像は、明度の適正な画像へと画質が補正される。一方、ステップＳ３０５では、ヒストグラム解析部１０４ｃ１は、セレクタ１０３ａにスルー経路を出力先として選択させる制御を行う。続いて、ヒストグラム解析部１０４ｃ１は、セレクタ１０２ａに画質補正部１０１ａへのクロック供給を停止させる様に制御する（ステップＳ３０６）。ステップＳ３０４又はステップＳ３０６の処理が終了すると、ステップＳ３０７へ移る。
【００５４】
ステップＳ３０７では、ヒストグラム解析部１０４ｃ１は、輪郭補正処理が必要であるか否かを判定する。輪郭補正処理が必要であると判定された場合（ステップＳ３０７肯定）、ステップＳ３０８へ移り、輪郭補正処理が必要であると判定されなかった場合（ステップＳ３０７否定）、ステップＳ３０９へ移る。
【００５５】
ステップＳ３０８では、輪郭補正部１０１ｃ２は、輪郭補正処理を行う。この処理によって、入力画像は、輪郭が鮮明でくっきりとした画像へと補正される。一方、ステップＳ３０９では、ヒストグラム解析部１０４ｃ１は、セレクタ１０３ｃ２にスルー経路を出力先として選択させる制御を行う。続いて、ヒストグラム解析部１０４ｃ１は、セレクタ１０２ｃ２に輪郭補正部１０１ｃ２へのクロック供給を停止させる様に制御する（ステップＳ３１０）。ステップＳ３０８又はステップＳ３１０の処理が終了すると、ステップＳ３１１へ移る。
【００５６】
ステップＳ３１１では、ヒストグラム解析部１０４ｃ１は、色彩制御処理が必要であるか否かを判定する。色彩制御処理が必要であると判定された場合（ステップＳ３１１肯定）、ステップＳ３１２へ移り、色彩制御処理が必要であると判定されなかった場合（ステップＳ３１１否定）、ステップＳ３１３へ移る。
【００５７】
ステップＳ３１２では、色彩制御部１０１ｃ３は、色彩制御処理を行う。この処理によって、入力画像は、色彩が適正で鮮やかな画像へと補正される。一方、ステップＳ３１３では、ヒストグラム解析部１０４ｃ１は、セレクタ１０３ｃ３にスルー経路を出力先として選択させる制御を行う。続いて、ヒストグラム解析部１０４ｃ１は、セレクタ１０２ｃ３に色彩制御部１０１ｃ３へのクロック供給を停止させる様に制御する（ステップＳ３１４）。ステップＳ３１２又はステップＳ３１４の処理が終了すると、ステップＳ３１５へ移る。
【００５８】
ステップＳ３１５では、ヒストグラム解析部１０４ｃ１は、コントラスト及びブライトネス調整処理が必要であるか否かを判定する。コントラスト及びブライトネス調整処理が必要であると判定された場合（ステップＳ３１５肯定）、ステップＳ３１６へ移り、コントラスト及びブライトネス調整処理が必要であると判定されなかった場合（ステップＳ３１５否定）、ステップＳ３１７へ移る。
【００５９】
ステップＳ３１６では、コントラスト／ブライトネス調整部１０１ｃ４は、コントラスト及びブライトネス調整処理を行う。この処理によって、入力画像は、コントラスト及び輝度が適正な画像へと補正される。
【００６０】
一方、ステップＳ３１７では、ヒストグラム解析部１０４ｃ１は、セレクタ１０３ｃ４にスルー経路を出力先として選択させる制御を行う。続いて、ヒストグラム解析部１０４ｃ１は、セレクタ１０２ｃ４にコントラスト／ブライトネス調整部１０１ｃ４へのクロック供給を停止させる様に制御する（ステップＳ３１８）。ステップＳ３１６又はステップＳ３１８の処理が終了すると、ステップＳ３１９へ移る。
【００６１】
ステップＳ３１９では、高画質化回路１００ｃは、ヒストグラム解析結果に応じて適切な補正を行った入力画像を出力する。この処理が終了すると、画像処理装置Ｄ３で実行される画質補正処理は終了する。
【００６２】
なお、輪郭補正部１０１ｃ２による輪郭補正処理は処理時間を要するため、スルー経路で伝送される入力画像と、輪郭補正部１０１ｃ２によって輪郭補正された入力画像との同期を取るために、図９に示す様に、スルー経路の輪郭補正部１０１ｃ２への分岐点からセレクタ１０３ｃ２の間の線路上にＤラッチ等の遅延回路１０５を設けることとしてもよい。
【００６３】
以上、本発明の実施形態の一例を説明したが、本発明は、これに限られるものではなく、特許請求の範囲に記載した技術的思想の範囲内で、更に種々の異なる実施形態で実施されてもよいものである。また、実施形態の一例に記載した効果は、これに限定されるものではない。
【００６４】
また、上記実施形態の一例において説明した各処理のうち、自動的に行われるものとして説明した処理の全部または一部を手動的に行うこともでき、或いは、手動的に行われるものとして説明した処理の全部または一部を公知の方法で自動的に行うこともできる。この他、上記実施形態の一例で示した処理手順、制御手順、具体的名称、各種のデータやパラメータを含む情報については、特記する場合を除いて任意に変更することができる。
【００６５】
また、図示した各装置の各構成要素は機能概念的なものであり、必ずしも物理的に図示のように構成されていることを要しない。すなわち、各装置の分散及び／又は統合の具体的形態は図示のものに限られず、その全部又は一部を、各種の負荷や使用状況などに応じて任意の単位で機能的または物理的に分散及び／又は統合して構成することができる。
【００６６】
上記に開示の実施形態の一例によれば、以下の技術が開示される。
【００６７】
（１）発振器からのクロックを入力するクロック入力部と、前記クロック入力部によって入力された前記クロックによって作動し、入力画像データの画質補正を行って出力する画質補正部とを有し、前記クロック入力部は、前記クロックの前記画質補正部に対する出力の可否を制御することによって前記画質補正部の作動及び非作動を制御することを特徴とする画像処理装置。
【００６８】
（２）ユーザによる画質補正の要否の設定を入力する設定受付部を有し、前記クロック入力部は、前記ユーザによる画質補正の要否の設定に応じて前記クロックの前記画質補正部に対する出力の可否を制御することを特徴とする（１）記載の画像処理装置。
【００６９】
（３）装置全体の制御を司るとともに前記画質補正の要否を通知する制御部を有し、前記クロック入力部は、前記制御部からの前記画質補正部による画質補正の要否の通知に応じて前記クロックの前記画質補正部に対する出力の可否を制御することを特徴とする（１）又は（２）記載の画像処理装置。
【００７０】
（４）前記クロック入力部は、前記ユーザによる画質補正の要否の設定に関わらず、前記制御部からの前記画質補正部による画質補正の要否の通知に応じて前記クロックの前記画質補正部に対する出力の可否を制御することを特徴とする（３）記載の画像処理装置。
【００７１】
（５）前記入力画像データの特性を解析する解析部を有し、前記クロック入力部は、前記解析部による前記入力画像データの特性の解析結果に応じて前記クロックの前記画質補正部に対する出力の可否を制御することを特徴とする（１）〜（４）のいずれか一項記載の画像処理装置。
【００７２】
（６）前記解析部は、前記入力画像データの複数の特性を解析して該当特性の補正の要否を判定し、前記解析部によって補正が必要であると判定された該当特性に対応する前記入力画像データの特性補正を行う複数の特性補正部とを有し、前記クロック入力部は、前記解析部によって補正が必要であると判定された該当特性に対応する前記特性補正部への前記クロックの前記画質補正部に対する出力の可否を制御することによって該当特性補正部の作動及び非作動を制御することを特徴とする（５）記載の画像処理装置。
【００７３】
（７）前記解析部は、前記入力画像データの輪郭補正の要否を判定し、前記特性補正部は、前記解析部によって輪郭補正が必要であると判定された場合に前記入力画像データの輪郭補正を行う輪郭補正部を含み、前記輪郭補正部のバイパス線路上に遅延処理部が設けられたことを特徴とする（６）記載の画像処理装置。
【００７４】
（８）発振器からのクロックを入力するクロック入力部と、前記クロック入力部によって入力された前記クロックによって作動し、入力画像データの画質補正を行って出力する画質補正部とを有し、前記クロック入力部は、前記クロックの前記画質補正部に対する出力の可否を制御することによって前記画質補正部の作動及び非作動を制御することを特徴とする画像処理回路。
【００７５】
（９）前記入力画像データの特性を解析する解析部を有し、前記クロック入力部は、前記解析部による前記入力画像データの特性の解析結果に応じて前記クロックの前記画質補正部に対する出力の可否を制御することを特徴とする（８）記載の画像処理回路。
【産業上の利用可能性】
【００７６】
開示の画像処理装置、画像処理回路及び画像処理方法は、車載用の画像処理装置が有する画質補正回路における無駄な電力消費を抑制し、画質補正回路の熱暴走を防止し、回路寿命を延ばし、環境保護を図りたい場合に有用である。
【符号の説明】
【００７７】
１００ａ、１００ｃ  高画質化回路
１０１ａ  画質補正部
１０１ｃ  高画質化処理部
１０１ｃ２  輪郭補正部
１０１ｃ３  色彩制御部
１０１ｃ４  コントラスト／ブライトネス調整部
１０２ａ、１０２ｃ２、１０２ｃ３、１０２ｃ４、１０３ａ、１０３ｃ２、１０３ｃ３、１０３ｃ４  セレクタ
１０４ｃ  画像解析部
１０４ｃ１  ヒストグラム解析部
２００ａ  ハードキー
２００ｂ  タッチＳＷ
２００  パネルマイコン
３００  オーディオマイコン
３００ａ  温度検知部
３００ｂ  消費電力監視部
Ｄ１、Ｄ２、Ｄ３  画像処理装置
【図１−１】
2010171824.tif 000003
【図１−２】
2010171824.tif 000004
【図２】
2010171824.tif 000005
【図３】
2010171824.tif 000006
【図４】
2010171824.tif 000007
【図５】
2010171824.tif 000008
【図６】
2010171824.tif 000009
【図７】
2010171824.tif 000010
【図８】
2010171824.tif 000011
【図９】
2010171824.tif 000012
【図１０】
2010171824.tif 000013